(57)【特許請求の範囲】
【請求項１】
少なくとも所定桁の文字又は数字の情報を３行以上表示する表示部と、
上記表示部に表示される文字又は数字の情報を複数記憶する記憶部と、
回転又は回動操作により上記表示部に表示させる情報の指示を行う操作部と、
上記操作部の回転又は回動操作に基づいて、上記記憶部に記憶された情報を所定の順序で上記表示部に上下にシフトして表示させると共に、そのとき表示される文字又は数字の先頭位置を、中央の行をはさむ行は、その中央の行よりも中央の行との行差に応じて所定幅ずつだけ右の位置に円弧を描くようにずらす制御を行う表示制御部とを備え、
上記表示部は筐体の正面に設けられ、上記操作部は筐体の側面に設けられ、上記操作部の回転又は回動動作がなす回転円弧と、上記表示部上に描く上記円弧とが略一致するようにしたこと
を特徴とする電子機器。
【請求項２】
請求項１記載の電子機器において、
上記操作部の操作に基づいて上記表示制御部が上記表示部に表示される情報を上下にシフトさせたとき、シフトする途中で、約１／２行だけ表示位置をシフトさせた表示を行う電子機器。
【請求項３】
請求項２記載の電子機器において、
上記表示制御部の制御で、約１／２行だけ表示位置をシフトさせた表示を行うとき、中央に表示されていた行から約１／２行だけ表示位置をシフトさせた２つの行に隣接する上及び下の行の先頭位置を、上記２つの行の文字又は数字の先頭位置から上記所定幅より狭い幅だけ右にずらした位置として円弧を描くよう設定される電子機器。
【請求項４】
請求項１記載の電子機器において、
所定の局と無線電話回線により無線通信を行う通信処理部を備え、上記記憶部で記憶されて上記表示部に表示される情報は、少なくとも電話番号に関係した情報である電子機器。
【発明の詳細な説明】
【０００１】
【発明の属する技術分野】
本発明は、例えば携帯電話端末などの表示部を備えた機器に適用して好適な電子機器に関する。
【０００２】
【従来の技術】
携帯電話端末などの電子機器において、液晶表示パネルなどで構成される表示部を備えて、その表示部に表示される文字や数字の情報から、必要とするものを選択する検索処理を行うものが各種ある。例えば携帯電話端末の場合には、３行程度の行数で電話番号や、電話番号に関係した名前などを表示する表示パネルを備えて、その端末に登録（記憶）された電話番号の検索が、端末に設けられた操作部の操作に基づいた表示パネルでの表示により選択できる構成としてある。
【０００３】
具体的には、例えば携帯電話端末は電子電話帳機能と称される機能を備えて、電話番号とその名前，会社名などの文字を所定件数記憶できるように構成してある。この場合、記憶される情報には、あいうえお順などの所定の順序が設定されて記憶され、端末に備えられた所定の操作部の操作で、表示される名前などをその設定された順序で順に変化させて、所望の名前が表示されたとき、その表示された名前を確定させる操作を行って、所望の電話番号を検索する操作が行われる。
【０００４】
ここで、携帯電話端末が備える表示パネルは、端末の小型化のために比較的小型のパネルとしてあり、一度に表示できる文字列としては３行程度の比較的少ない行数になっている。従って、上述した名前などの検索時には、３行程度で表示される文字列が、その端末の操作部の操作に基づいて１行ずつ順に上方向又は下方向にスクロールするようになっている。例えば、上方向にスクロールさせる操作部を操作したとき、表示文字列が１行ずつ上方向に所定間隔で変化し、下方向にスクロールさせる操作部を操作したとき、表示文字列が１行ずつ下方向に所定間隔で変化する。
【０００５】
【発明が解決しようとする課題】
ところが、このような３行程度の少ない行数で文字列や数字列を表示させた状態で、その表示文字列を上方向又は下方向に１行ずつ順にスクロールさせたとき、表示されている項目がスクロールするタイミングで、一瞬に他の行に変化することになり、表示文字列が上下いずれの方向に変化しているのかが判りにくい問題があった。従って、例えばスクロールさせる操作部を操作し続けた状態で、所望の名前の文字列が表示パネルに表示されるようになったとき、その表示文字列を確定させる行に表示を移動させるために、上方向に表示を変化させる操作部を操作すれば良いのか、下方向に表示を変化させる操作部を操作すれば良いのか、操作者が一瞬判らなくなってしまう場合が多々ある。
【０００６】
このような場合、上下させる操作を何回が繰り返すことになり、スムーズな検索作業であるとは言えなかった。
【０００７】
なお、ここでは携帯電話端末の電話帳機能の検索時の問題について説明したが、同様の比較的小型の表示部を備えた各種電子機器で、表示される文字列や数字列を検索する場合には、同様の問題がある。
【０００８】
本発明は、比較的少ない行数で各種情報を表示させる電子機器において、表示情報の検索が良好に行えるようにすることを目的とする。
【０００９】
【課題を解決するための手段】
この目的を達成するために本発明は、回転又は回動操作により表示部に表示させる情報の指示を行う操作部と、この操作部の回転又は回動操作に基づいて、記憶された情報を所定の順序で表示部に上下にシフトして表示させると共に、そのとき表示される文字又は数字の先頭位置を、中央の行をはさむ行は、その中央の行よりも中央の行との行差に応じて所定幅ずつだけ右の位置に円弧を描くようにずらす制御を行う表示制御部とを備え、表示部は筐体正面に操作部は筐体側面に設けられ、操作部の回転又は回動動作がなす回転円弧と、表示部上に描く円弧とが略一致するようになることを特徴とするものである。
【００１０】
本発明によると、表示部で複数行の情報が表示されるとき、中央部の行の先頭位置が、上下の行の先頭位置よりも突出するため、各行の先頭位置がほぼ円弧を描くことになり、回転又は回動操作による操作状態で描く円弧とほぼ一致させることができる。
【００１１】
【発明の実施の形態】
以下、本発明の一実施の形態を、添付図面を参照して説明する。
【００１２】
本実施の形態においては、無線電話用の基地局などと所定の無線電話回線により無線通信を行って、音声データの伝送による通話や、各種データ通信が行える携帯電話端末に適用したものである。
【００１３】
図１は、本例の携帯電話端末の内部構成を示す図で、以下その構成を説明すると、携帯電話端末１０は、マイクロコンピュータで構成される中央制御ユニット（ＣＰＵ）１１を備え、この中央制御ユニット１１の制御で、無線電話としての通信や、この端末が備える各種機能が実行される。
【００１４】
無線通信を行う構成としては、アンテナ１２が接続された高周波部（ＲＦ部）１３を備え、この高周波部１３で無線信号を中間周波信号又はベースバンド信号に変換する受信処理を行い、受信されたベースバンド信号をベースバンド部１４に供給して、復調などのベースバンド信号としての受信処理を行い、得られた音声データをアナログ音声信号としてスピーカ１５に供給し、放音させる。また、マイクロホン１６が拾って出力する音声信号を、ベースバンド部１４で所定のデジタルデータに変換すると共に送信用に変調処理し、この変調された送信データを高周波部１３に供給して、所定の送信周波数の送信信号とし、アンテナ１２から無線送信させる。この受信処理及び送信処理は、中央制御ユニット１１の制御で実行される。なお、ここでは説明を簡単にするために、通話用の音声データを送受信する構成だけを示したが、データ通信用の処理を行う構成を備える場合もある。
【００１５】
そして本例の中央制御ユニット１１には、データの書換えが可能な不揮発性メモリなどで構成されるメモリ１７が接続してあり、このメモリ１７にユーザが登録したデータなどが記憶される。例えば、電子電話帳として登録した電話番号及びその番号に関係した名前の数字情報及び文字情報が、中央制御ユニット１１の制御で所定件数（例えば数十件）記憶できる構成としてある。
【００１６】
このメモリ１７への電子電話帳データの記憶は、この携帯電話端末１０が備えるキー入力部２０又は回転型入力部３０の操作に基づいて、中央制御ユニット１１が行う。キー入力部２０としては、例えば図２に示すように、携帯電話端末１０を構成する筐体の正面の中央部に配置してあり、１，２，３‥‥９，０の数字及び♯，＊の記号に対応したダイヤルキー２１と、発信キー２２，終了キー２３，機能キー２４などのキーで構成され、それぞれのキーを押したとき、そのキーに対応した操作情報が中央制御ユニット１１に供給される構成としてある。
【００１７】
回転型入力部３０は、ジョグダイヤルなどと称されるロータリー型のスイッチで、例えば図２に示すように、携帯電話端末１０を構成する筐体の左側面の上部に配置してあり、円盤状の操作部の一部だけが端末の本体から突出して配置してある。矢印ｕで示す上方向への回転操作と、矢印ｄで示す下方向への回転操作と、矢印ｐで示す本体側への押下げ操作とができる構成としてあり、それぞれの操作をしたとき、対応した操作情報が中央制御ユニット１１に供給される構成としてある。
【００１８】
また、携帯電話端末１０の正面の上部には、液晶表示パネルで構成される表示部４０が配置してあり、中央制御ユニット１１の制御で、表示部４０に各種情報を表示することができる。この場合、表示部４０としては、縦・横に所定数のドットが配置されたドットマトリクス表示が行われる表示パネルが使用され、ここでは１行で十数文字程度の文字又は数字が、３行表示できる表示面積のものが使用される。なお、ここで使用される表示パネルは、表示位置を１／２行シフトさせた表示についても可能なものとしてある。この表示位置を１／２行シフトさせたときの表示状態については後述する。
【００１９】
また図２に示すように、通話用のスピーカ１５が表示部４０の上部に配置してあり、通話用のマイクロホン１６は、ダイヤルキー２１に下部に配置してある。さらに、端末１０の上端部には、アンテナ１２と着信表示などを行うランプ１９とが配置してある。
【００２０】
次に、本実施の形態の携帯電話端末１０において、中央制御ユニット１１の制御で、表示部４０に文字などを表示させる場合の処理を、図３のフローチャート及び図４の表示例を参照して説明する。ここでは、電子電話帳のデータを表示させて、その電子電話帳のデータから所望の電話番号データを検索する場合の例としてある。
【００２１】
図３のフローチャートは、その検索時の表示処理を示したもので、以下フローチャートに従って説明すると、端末１０が待機中の状態では、例えば図４のＡに示すように、年月日と現在時刻を中央制御ユニット１１の制御で表示させる。この待機中の状態で、中央制御ユニット１１は回転型入力部３０の回転操作があるか否か判断する（ステップ１０１）。ここで、回転操作があった場合には、電話帳データとして登録された名前を、所定位置Ｎ（最初の状態ではＮは１）から順に３件の登録名を、３行に分けて表示させる（ステップ１０２）。例えば最初の状態では、図４のＢに示すように、番号０１，０２，０３に登録された名前を、それぞれの登録番号と共に表示させる。このとき、中央の行の位置には、その行に表示される項目が選択されることを示す選択確定用の枠４０ａが表示される。また、登録された名前が１行で全て表示できない文字数であるときには、１行で表示できる所定数の文字だけを先頭から表示させる。
【００２２】
ここで本例においては、中央制御ユニット１１の制御で、中央の行に表示される数字及び文字の列の左端の先頭位置を、その上下の行に表示される数字及び文字の列の左端の先頭位置よりも、左側に所定幅ａだけ突出した位置に設定する。この幅ａとしては、例えば４ドットに相当する幅とする。このように表示状態を設定することで、３行に表示される数字及び文字の列の左端の位置が、仮想的に円弧を描くようになり、端末１０の側面に取付けられた回転型入力部３０の突出部（図２参照）が描く円弧とほぼ一致するようになる。
【００２３】
次に中央制御ユニット１１は、回転型入力部３０が下方向への回転操作（図２に示す方向ｄの操作）が行われたか否か判断する（ステップ１０３）。ここで、この下方向への回転操作であると判断した場合には、表示位置を１／２行だけ下にシフトさせた表示を行う（ステップ１０４）。図４のＣは、この場合の表示例を示す図で、直前の状態（図４のＢの状態）で１行目及び２行目に表示された項目を、それぞれ１．５行目及び２．５行目に表示させると共に、１行目に表示されていた番号Ｎ（ここでは０１）の直前の順位Ｎ−１の項目の数字及び文字の列の下半分だけを最上部に表示させ、さらに３行目に表示されていた番号Ｎ＋２（ここでは０３）の項目の数字及び文字の列の上半分だけを最下部に表示させる。また、選択確定用の枠４０ａの表示位置だけは、中央の行の位置から変化させない。なお、順位Ｎ−１が０になる場合には、最終番号の項目を表示させる。
【００２４】
このとき、本例においては枠４０ａの表示位置については、直前の図４のＢに示す状態から変化させず、１．５行目及び２．５行目に表示させる数字及び文字の列の左端の先頭位置については、中央制御ユニット１１の制御で、その枠４０ａの左端の位置から右側に所定幅ｂだけシフトした位置に設定する。さらに、最上部に下半分だけ表示された数字及び文字の列と、最下部に上半分だけ表示された数字及び文字の列の左端の先頭位置については、中央制御ユニット１１の制御で、それよりも中央よりの行（１．５行目及び２．５行目）の左端の先頭位置から右側に所定幅ｃだけシフトした位置に設定する。この幅ｂ及びｃとしては、それぞれ例えば３ドット及び２ドットに相当する幅とする。このように表示状態を設定することで、合計で４行（但し１行目と４行目は半分ずつ）表示される数字及び文字の列の左端の位置が、図４のＢに示す３行表示の場合と同様に、仮想的に円弧を描くようになり、端末１０の側面に取付けられた回転型入力部３０の突出部（図２参照）が描く円弧とほぼ一致するようになる。
【００２５】
このステップ１０４での表示は、非常に短い一定時間（例えば１秒以下の時間）だけ行い、順位Ｎの値を１つ減算した値に更新し（ステップ１０５）、その更新されたＮ値に基づいて、ステップ１０２での３行の表示を行う。例えば、図４のＤに示すように、直前に３行表示された図４のＢに示す表示状態から、１行下にシフトした表示を行う。このときにも、中央制御ユニット１１の制御で、中央の行に表示される数字及び文字の列の左端の先頭位置を、その上下の行に表示される数字及び文字の列の左端の先頭位置よりも、左側に所定幅ａだけ突出した位置に設定する。
【００２６】
そして、以下同じ方向（下方向ｄ）に回転型入力部３０が操作され続ける限り、中央制御ユニット１１はステップ１０２，１０３，１０４，１０５の処理を繰り返し行い、表示を０．５行ずつ順に変化させる。
【００２７】
そして、ステップ１０３で回転型入力部３０の操作が下方向への回転でないと判断したとき、その操作が上方向への回転操作（図２に示す方向ｕの操作）が行われたか否か判断する（ステップ１０６）。ここで、この上方向への回転操作であると判断した場合には、中央制御ユニット１１の制御で、表示位置を１／２行だけ上にシフトさせた表示を行う（ステップ１０７）。例えば直前の表示状態が図４のＤに示す３行の表示であるとき、図４のＣに示すように、その状態から表示位置を１／２行だけ上にシフトさせて、１行目と４行目を半分ずつ表示させた４行の表示を行う。このときには、上述したステップ１０４での表示と同様に各行の左端の先頭位置の表示位置を設定する。なお、順位Ｎ＋１が最終順位の番号になる場合には、Ｎ＋２を１として、その順位１番の数字及び文字の列を、最下部に上半分だけ表示させる。
【００２８】
このステップ１０７での表示についても、非常に短い一定時間（例えば１秒以下の時間）だけ行い、順位Ｎの値を１つ加算した値に更新し（ステップ１０８）、その更新されたＮ値に基づいて、ステップ１０２での３行の表示を行う。例えば、図４のＤに示すように、直前に３行表示した状態が図４のＤに示す状態であるとき、図４のＢに示す状態の表示に変化する。そして、以下同じ方向（下方向ｄ）に回転型入力部３０が操作され続ける限り、中央制御ユニット１１はステップ１０２，１０３，１０６，１０７，０１８の処理を繰り返し行い、表示を０．５行ずつ順に変化させる。
【００２９】
図４のＣは、この場合の表示例を示す図で、直前の状態（図４のＢの状態）で１行目及び２行目に表示された項目を、それぞれ１．５行目及び２．５行目に表示させると共に、１行目に表示されていた番号Ｎ（ここでは０１）の直前の順位Ｎ−１の項目の数字及び文字の列の下半分だけを最上部に表示させ、さらに３行目に表示されていた番号Ｎ＋２（ここでは０３）の項目の数字及び文字の列の上半分だけを最下部に表示させる。また、選択確定用の枠４０ａの表示位置だけは、中央の行の位置から変化させない。なお、順位Ｎ−１が０になる場合には、最終番号の項目を表示させる。
【００３０】
次に、ステップ１０６で上方向への回転操作でもないと判断したとき、回転型入力部３０の押下げ操作があるか否か判断する（ステップ１０９）。ここで、回転型入力部３０の押下げ操作があると判断した場合には、中央制御ユニット１１の制御で、ステップ１０２でＮ＋１番目に表示された行（即ち中央の行：枠４０ａ内に表示された行）に表示された名前に関する情報を表示させる画面に変化させる（ステップ１１０）。例えば図４のＤに示す３行の表示が行われた状態で、回転型入力部３０の押下げ操作があると判断したときには、図４のＥに示すように、そのときの中央の行に表示された０１番の項目の登録された名前及び電話番号を、表示部４０に全て表示させる。
【００３１】
このステップ１１０の電話帳データの表示が行われた状態で、さらに回転型入力部３０の押下げ操作があるか否か中央制御ユニット１１は判断し（ステップ１１１）、その押下げ操作があったとき、そのステップ１１０で表示された電話番号への発信処理を中央制御ユニット１１が実行させる。
【００３２】
なお、ステップ１１０での電話帳データの登録名及び電話番号の表示として、その名前で登録された電話番号が複数（例えば２件）ある場合には、その複数の電話番号を同時に表示させて、いずれの電話番号への発信であるかを選択させる。例えば同じ名前で２件の登録がある場合には、図５のＡに示すように、２件の電話番号を表示させて、いずれかの電話番号に選択確定用の枠４０ａを表示させて、回転型入力部３０の回転操作があったとき、図５のＢに示すように、その枠の表示位置を変化させて、回転型入力部３０の押下げ操作があったとき、そのときに枠４０ａ内に表示された電話番号への発信処理を行う。
【００３３】
また、待機中の状態からステップ１０１で回転型入力部３０が回転操作されてないと中央制御ユニット１１が判断したときには、回転型入力部３０が押下げ操作されたか否か判断する（ステップ１１３）。ここで、待機中から直接押下げ操作されたと中央制御ユニット１１が判断したときには、表示部４０にメニュー項目画面を表示させる。
【００３４】
図６は、このメニュー項目画面の表示例を示す図で、このときにも３行ずつメニュー項目を表示させる。即ち、最初の状態では、図６のＡに示すように、先頭から３つの順位のメニュー項目Ｆ１，Ｆ２，Ｆ３を各行に表示させると共に、選択確定用の枠４０ａを中央の行に表示させる。このときにも、中央制御ユニット１１の制御で、中央の行に表示される数字及び文字の列の左端の先頭位置を、その上下の行に表示される数字及び文字の列の左端の先頭位置よりも、左側に所定幅ａだけ突出した位置に設定し、３行に表示される数字及び文字の列の左端の位置が、仮想的に円弧を描くようにする。
【００３５】
この状態で、回転型入力部３０が回転操作されたことを中央制御ユニット１１が判断すると、その回転方向に一致した方向に表示位置を変化させる。即ち、例えば図６のＡに示す表示が行われた状態で、回転型入力部３０が下方向ｄに回転操作されたとき、図６のＢに示すように、表示位置を１／２行だけ下にシフトさせた４行の表示を行う。即ち、直前の状態（図６のＡの状態）で１行目及び２行目に表示された項目を、それぞれ１．５行目及び２．５行目に表示させると共に、１行目に表示されていた項目の直前の順位の項目の数字及び文字の列の下半分だけを最上部に表示させ、さらに３行目に表示されていた項目の数字及び文字の列の上半分だけを最下部に表示させる。また、選択確定用の枠４０ａの表示位置だけは、中央の行の位置から変化させない。
【００３６】
また、このときの枠４０ａの表示位置については、直前の図６のＡに示す状態から変化させず、１．５行目及び２．５行目に表示させる数字及び文字の列の左端の先頭位置については、中央制御ユニット１１の制御で、その枠４０ａの左端の位置から右側に所定幅ｂだけシフトした位置に設定する。さらに、最上部に下半分だけ表示された数字及び文字の列と、最下部に上半分だけ表示された数字及び文字の列の左端の先頭位置については、中央制御ユニット１１の制御で、それよりも中央よりの行（１．５行目及び２．５行目）の左端の先頭位置から右側に所定幅ｃだけシフトした位置に設定し、図６のＡに示す３行表示の場合と同様に、左端の位置が仮想的に円弧を描くようにする。
【００３７】
この４行での表示は、非常に短い一定時間（例えば１秒以下の時間）だけ行い、更に０．５行シフトした次の表示を行う。即ち、図６のＣに示すように、直前に３行表示された図６のＡに示す表示状態から１行下にシフトした表示を行う。このときにも、中央制御ユニット１１の制御で、中央の行に表示される数字及び文字の列の左端の先頭位置を、その上下の行に表示される数字及び文字の列の左端の先頭位置よりも、左側に所定幅ａだけ突出した位置に設定する。
【００３８】
回転型入力部３０の操作方向が逆の上方向ｕである場合には、中央制御ユニット１１の制御で、逆の表示変化である例えば図６のＣに示す状態から、図６のＢに示す状態を経て、図６のＡに示す状態の表示に変化させる。
【００３９】
そして、このメニュー項目が表示された状態で、回転型入力部３０が押下げ操作されたことを中央制御ユニット１１が判断したとき、そのとき枠４０ａ内に表示されたメニューに関する表示に移る。例えば図６のＣに示すように、初期設定の項目が枠４０ａ内で表示された状態で、回転型入力部３０が押下げ操作されたとき、その初期設定に関して用意されたメニュー画面の表示に移る。図６のＤは、この初期設定のメニュー画面を表示させた例である。この場合にも、中央制御ユニット１１の制御で、中央の行に表示される数字及び文字の列の左端の先頭位置を、その上下の行に表示される数字及び文字の列の左端の先頭位置よりも、左側に所定幅ａだけ突出した位置に設定し、３行に表示される数字及び文字の列の左端の位置が、仮想的に円弧を描くようにする。
【００４０】
さらにこの状態で、回転型入力部３０が回転操作されたことを中央制御ユニット１１が判断すると、その回転方向に一致した方向に表示位置を変化させる。このときの表示変化については、図６のＡ，Ｂ，Ｃに示す表示変化と同様であり、例えば図６のＤに示す状態で回転型入力部３０が下方向ｄに回転操作されたとき、図６のＥに示す状態を経て、図６のＦに示す状態の表示に変化する。また、例えば図６のＦに示す状態で回転型入力部３０が上方向ｕに回転操作されたとき、図６のＥに示す状態を経て、図６のＤに示す状態の表示に変化する。
【００４１】
このように本例の携帯電話端末が備える表示部４０での表示は、電話帳データの検索時やメニュー項目の検索時のように、複数の行を同時に表示させて、その表示位置を回転操作に従って順にシフトさせるとき、各行の左端の文字又は数字の位置が、回転操作部３０が描く円弧とほぼ同様の円弧を描いた表示となり、回転操作部３０の操作状況と、表示部４０での表示状況とが一致して、非常に表示状態が判りやすくなる。特に、上方向に表示位置がシフトしているのか、下方向に表示位置がシフトしているのかが、操作状況と表示状況との一致で容易に判断できるようになり、従来のように表示状態の変化が判らなくなることがなくなる。
【００４２】
また本例においては、表示位置を上下にシフトさせるとき、図４のＣ或いは図６のＢに示すように、１／２行だけシフトした表示を一時的に行うと共に、その１／２行だけシフトした表示時にも、各行の左端の文字又は数字の位置が、回転操作部３０が描く円弧とほぼ同様の円弧を描いた表示となるようにしてあるので、さらに表示状態の変化が判りやすくなる効果を有する。なお、図４や図６の例では、完全に１／２行だけシフトさせて表示させた例としたが、この途中の段階の表示は、１／２行の状態から若干ずれた状態であっても良い。
【００４３】
なお、上述した実施の形態では、３行表示できる表示パネルを使用した例としたが、４行，５行などのより多くの行を同時に表示できる表示パネルを使用した場合にも、同様の表示処理を適用できる。図７のＡは、４行表示できる表示パネルを使用して表示させた場合の例で、この例では、中央部の２行の左端の位置を、最上部の行及び最下部の行の左端の位置から、所定幅ｄだけ左にシフトさせた状態として、４行の左端の位置が仮想的に円弧を描くようにしてある。ここでは、選択確定用の枠４０ａは、２行目に表示させてある。
【００４４】
この状態から表示を上又は下にシフトさせるときには、例えば図７のＢに示すように、最上部の行及び最下部の行を、１／２行だけ表示させた５行の表示を一時的に行って、次のステップの表示に変化させる。そして、この図７のＢに示す表示を行う際にも、中央部の行の左端の位置を、その上下の行の左端の位置から、所定幅ｅだけ左にシフトさせると共に、さらにその上下の行の左端の位置を、所定幅ｆだけ右にシフトさせ、５行の左端の位置が仮想的に円弧を描くように表示させる。
【００４５】
図８は、５行表示できる表示パネルを使用して表示させた場合の例で、この例では、中央部の行（３行目）の左端の位置を、その上下の行（２行目，４行目）の左端の位置から、所定幅ｇだけ左にシフトさせると共に、さらにその上下の行（１行目，５行目）の左端の位置を、２行目，４行目から所定幅ｈだけ右にシフトさせ、５行の左端の位置が仮想的に円弧を描くように表示させる。
【００４６】
このように３行以上のいずれの行数が表示される場合にも、本発明の処理を適用することが可能であり、行数が多い程、仮想的に円弧を描くように表示されることがより判りやすくなる。
【００４７】
また、図４などに示した例では、選択が確定する位置を示す表示として、枠４０ａを表示させたが、他の表示処理で位置が判るようにしても良い。例えば、確定する位置の表示階調を他の部分よりも濃くして、判るようにしても良い。
【００４８】
また、上述した実施の形態では、表示を切換える手段として、回転操作ができる入力部３０を使用したが、完全な回転操作ではなく、少なくとも上方に所定角度回動させる操作と下方に所定角度回動させる操作が可能な入力部を用いた場合にも、適用できる。
【００４９】
さらに、上述した実施の形態では、携帯電話端末の表示パネルでの表示に適用したが、同様に限られた行数だけ表示できる表示部を備えた電子機器で、複数の項目を同時に表示させて、検索処理などを行う場合にも適用できる。例えば、光ディスクや光磁気ディスクなどの記録媒体に記録された音楽データ（曲）を再生する再生装置において、その再生装置で再生する曲を、曲名やトラック番号などから検索する場合に、その曲名や番号などを表示部に表示させて、回転操作や回動操作ができる操作部の操作に基づいて、表示位置をシフトさせる場合にも適用できる。
【００５０】
【発明の効果】
請求項１に記載した発明によると、表示部で複数行の情報が表示されるとき、中央部の行の先頭位置が、上下の行の先頭位置よりも突出するため、各行の先頭位置がほぼ円弧を描くことになり、回転又は回動操作による操作状態で描く円弧とほぼ一致させることができ、操作状況と表示態様とをほぼ一致させた良好な表示を行うことができ、表示情報をスクロールさせて検索などを行う際の操作性が向上する。
【００５１】
請求項２に記載した発明によると、請求項１に記載した発明において、操作部の操作に基づいて表示制御部が表示部に表示される情報を変化させたとき、変化する途中で、約１／２行だけ表示位置を変化させた表示を行うことで、表示情報がスクロールする際には表示位置が約１／２行ずつ変化することになり、スクロール状態が判りやすい表示状態となり、より検索作業の操作性が向上する。
【００５２】
請求項３に記載した発明によると、請求項２に記載した発明において、表示制御部の制御で約１／２行だけ表示位置を変化させた表示を行うとき、そのとき中央部に表示される文字又は数字の先頭位置を、請求項１に記載した表示処理時の突出位置とは異なる突出した位置に設定することで、約１／２行だけ表示位置を変化させたときにも、各行の先頭位置がほぼ円弧を描くように表示させることができ、操作状況と表示態様とをより一致させた表示を行うことができる。
【００５３】
請求項４に記載した発明によると、請求項１に記載した発明において、所定の局と無線電話回線により無線通信を行う通信処理部を備え、記憶部で記憶されて表示部に表示される情報は、少なくとも電話番号に関係した情報であることで、無線電話端末で電話番号に関係した情報を表示させて検索させる際の操作性を向上させることができる。
【図面の簡単な説明】
【図１】本発明の一実施の形態による携帯電話端末の例を示す構成図である。
【図２】本発明の一実施の形態による携帯電話端末の外観の例を示す正面図である。
【図３】本発明の一実施の形態による電話帳検索表示処理例を示すフローチャートである。
【図４】本発明の一実施の形態による表示の変化例を示す説明図である。
【図５】本発明の一実施の形態による表示の他の変化例を示す説明図である。
【図６】本発明の一実施の形態によるメニュー表示の変化例を示す説明図である。
【図７】本発明の他の実施の形態による表示例（４行表示の表示部を使用した例）を示す説明図である。
【図８】本発明の他の実施の形態による表示例（５行表示の表示部を使用した例）を示す説明図である。
【符号の説明】
１０…携帯電話端末、３０…回転型入力部、４０…表示部、４０ａ…選択確定用の枠
【図１】
0004089013.tif 000002
【図２】
0004089013.tif 000003
【図３】
0004089013.tif 000004
【図４】
0004089013.tif 000005
【図５】
0004089013.tif 000006
【図６】
0004089013.tif 000007
【図７】
0004089013.tif 000008
【図８】
0004089013.tif 000009